(57)【要約】【課題】取手をある程度引き上げると保持されて、取手の取扱いが容易であり、また取手を収納するとき、衝撃音を抑えて滑らかに収納され、また取手の支点が本体重心と外れていても、本体が揺れることなく安定して運搬でき、さらに本体の姿勢を正しく保ったまま安全に運搬できる取手付き電気機器を提供すること目的とする。【解決手段】取手１３の連結部１６の側面が当接して摺接する押え部１７を有し、押え部１７に設けた溝２１に連結部１６に設けた突起部１８を嵌入可能とし、また押え部１７に設けた溝２１に圧接して嵌入する第２の突起部２０を連結部１６に設けることで、取手１３を便利に使用でき、また取手１３を脚部２２が本体ケース２５の壁面１１ｂと当接する位置まで回動可能に設け、さらに握り部１３ａは本体２６の重心の直上に位置する寸法関係とすることにより、本体２６を安定して安全に運搬できる取手付き電気機器を得られる。【選択図】図２
2006103783.tif 000002
【特許請求の範囲】
【請求項１】
本体ケースの天面に収納可能に設けた取手と、この取手の連結部を回動可能に支持する支軸と、前記本体ケースに設けた前記連結部の側面が当接して摺接する押え部を有し、この押え部は弾性を有するとともに、押え部に設けた溝に前記連結部に設けた突起部を嵌入可能とした取手付き電気機器。
【請求項２】
取手が本体ケースの天面に収納される手前の回動位置において、押え部に設けた溝に圧接して嵌入する第２の突起部を連結部に設けた請求項１記載の取手付き電気機器。
【請求項３】
取手の脚部が本体ケース上部の壁面に当接する回動位置において、押え部に設けた溝に前記連結部に設けた突起部を嵌入可能とした請求項１記載の取手付き電気機器。
【請求項４】
取手の握り部が本体重心の真上となる回動位置において、押え部に設けた溝に連結部に設けた突起部を嵌入可能とするとともに、前記本体ケース上部の壁面に設けた当てリブに前記取手の脚部を当接可能とした請求項１記載の取手付き電気機器。
【発明の詳細な説明】
【技術分野】
【０００１】
本発明は、運搬用の取手を備えた取手付き電気機器に関するものである。
【背景技術】
【０００２】
従来、この種の取手付き電気機器は、本体ケース天面に本体重心と同一垂直に設けた支点と、この支点を中心に回動可能に設けた取手を有し、本体ケースに設けた取手を収納する凹状収納部を有した空気清浄機が知られている（例えば、特許文献１参照）。
【０００３】
以下、その取手付き電気機器について図６〜図８を参照しながら説明する。
【０００４】
図に示すように、本体ケース１０１は、前面に室内空気を吸気する吸込グリル１０２を備え、本体ケース１０１内に空気浄化フィルター１０３、電動機１０４およびファン１０５を有し、吸込グリル１０２に吸い込まれた室内空気は空気浄化フィルター１０３を通過し、電動機１０４およびファン１０５に誘導されて本体ケース１０１上部後面に設けられた吹出し口１０６から室内へ排出される。また、吸込グリル１０２の上部にスイッチ部１０７を設け、本体ケース１０１の天面に、本体の重心と同一垂直面に設けた支点１０８に回動可能に支持される取手１０９を有し、取手１０９を収納できる凹状収納部１１０を設けている。
【特許文献１】特開２００３−３８９２３号公報（請求項３〜４、図６〜図９参照）
【発明の開示】
【発明が解決しようとする課題】
【０００５】
このような従来の取手付き電気機器では、取手を収納位置から引き出し、本体を持ち上げて移動させる際、取手の回動が固定されていないので、取手を略垂直まで引き上げて一時的に支持する必要があり、取扱いが不便であるという課題があり、取手をある程度引き上げると保持され、取手を用いた運搬が便利にできる取手付き電気機器が要求されている。
【０００６】
また、取手を収納する際、取手を傾けて手を離すと、取手自身の自重により収納凹部に勢いよく戻され、衝撃音が発生するという課題があり、このような衝撃音を抑えて滑らかに取手が収納される取手付き電気機器が要求されている。
【０００７】
また、近年は本体の小型化、薄型化に伴い、本体重心の上方位置に取手の支点を設けることができないので、本体がぐらついて状態で運搬されるという課題があり、取手の支点が本体重心と同一垂直面に設けられなくとも、取手を持って本体を安定して運搬できる取手付き電気機器が要求されている。
【０００８】
また、同様に本体重心の上方位置に取手の支点を設けることができないので、本体が傾いた状態で運搬されると、持ち上げるときや設置時に不安定になるという課題があり、本体の姿勢を正しく保ったまま運搬できる取手付き電気機器が要求されている。
【０００９】
本発明は、このような従来の課題を解決するものであり、取手をある程度引き上げると保持されて、取っ手の取扱いが容易であり、また取手を収納するとき、衝撃音を抑えて滑らかに収納され、また取手の支点が本体重心と外れていても、本体が揺れることなく安定して運搬でき、また本体の姿勢を正しく保ったまま安全に運搬できる取手付き電気機器を提供すること目的としている。
【課題を解決するための手段】
【００１０】
本発明の取手付き電気機器は上記目的を達成するために、本体ケースの天面に収納可能に設けた取手と、この取手の連結部を回動可能に支持する支軸と、前記本体ケースに設けた前記連結部の側面が当接して摺接する押え部を有し、この押え部は弾性を有するとともに、押え部に設けた溝に前記連結部に設けた突起部を嵌入可能としたものである。
【００１１】
この手段により、取手をある程度引き上げると保持されて、取っ手の取扱いを容易にすることができる取手付き電気機器が得られる。
【００１２】
また、他の手段は、取手が本体ケースの天面に収納される手前の回動位置において、押え部に設けた溝に圧接して嵌入する第２の突起部を連結部に設けたものである。
【００１３】
この手段により、取手を収納するとき、衝撃音を抑えて滑らかに収納できる取手付き電気機器が得られる。
【００１４】
また、他の手段は、取手の脚部が本体ケース上部の壁面に当接する回動位置において、押え部に設けた溝に前記連結部に設けた突起部を嵌入可能としたものである。
【００１５】
この手段により、取手の支点が本体重心と外れていても、本体が揺れることなく安定して運搬できる取手付き電気機器が得られる。
【００１６】
また、他の手段は、取手の握り部が本体ケース重心の真上となる回動位置において、押え部に設けた溝に連結部に設けた突起部を嵌入可能とするとともに、前記本体ケース上部の壁面に設けた当てリブに前記取手の脚部を当接可能としたものである。
【００１７】
この手段により、本体の姿勢を正しく保ったまま安全に運搬できる取手付き電気機器が得られる。
【発明の効果】
【００１８】
本発明によれば、取手を収納部から引き上げると、引き上げた姿勢を保持するので、一時的に手で支える必要がなく、取手の取扱いが容易で便利に使用できる効果のある取手付き電気機器を提供できる。
【００１９】
また、取手を収納するときに衝撃音を発生せず、滑らかに収納できる効果のある取手付き電気機器を提供できる。
【００２０】
また、取手の支点が本体重心と外れていても、取っ手を持つだけで、本体をぐらつかないように支えて運搬できる効果のある取手付き電気機器を提供できる。
【００２１】
また、取手の支点が本体重心と外れていても、取手をそのまま自然に持ち上げるだけで、本体の姿勢を正しく保ったまま安全に運搬できる効果のある取手付き電気機器を提供できる。
【発明を実施するための最良の形態】
【００２２】
本発明の請求項１記載の発明は、本体ケースの天面に収納可能に設けた取手と、この取手の連結部を回動可能に支持する支軸と、前記本体ケースに設けた前記連結部の側面が当接して摺接する押え部を有し、この押え部は弾性を有するとともに、押え部に設けた溝に前記連結部に設けた突起部を嵌入可能としたものであり、本体を移動する際に、本体上面に収納されている取手を引き上げると、引き上げた姿勢を保持するので、一時的に手で支える必要がなく、取手の取扱いが簡単かつ便利にできるという作用を有する。
【００２３】
また、取手が本体ケースの天面に収納される手前の回動位置において、押え部に設けた溝に圧接して嵌入する第２の突起部を連結部に設けた構成としたものであり、取手を収納させる際に第２の突起部が溝に圧接しながら徐々に嵌入するので、取手の回動速度が低減され、衝撃音を発生しないように滑らかに収納することができるという作用を有する。
【００２４】
また、取手の脚部が本体ケース上部の壁面に当接する回動位置において、押え部に設けた溝に前記連結部に設けた突起部を嵌入可能としたものであり、取手の支点が本体重心から外れている場合でも、取手の脚部を本体ケース上部の壁面に当接させることで、取手が本体の揺れを防ぐように支えるので、半固定した状態で運搬できるという作用を有する。
【００２５】
また、取手の握り部が本体ケース重心の真上となる回動位置において、押え部に設けた溝に連結部に設けた突起部を嵌入可能とするとともに、前記本体ケース上部の壁面に設けた当てリブに前記取手の脚部を当接可能としたものであり、取手の支点が本体重心から外れている場合でも、本体重心の真上に取手の握り部が位置するとともに、押え部の溝への突起部の嵌入と、取手と本体の当接による支持があるので、取手をそのまま自然に持ち上げるだけで、本体の姿勢を正しく保ったまま安全に運搬できるという作用を有する。
【００２６】
以下、本発明の実施の形態について図面を参照しながら説明する。
【００２７】
（実施の形態１）
図１および図２に示すように、内部ケース５は電動機２とファン３とファンケーシング４を備え、内部ケース５と裏ケース１を連結し、操作部６を組み込むことで本体ケース２５を形成し、本体ケース２５の両側面に格子９を一体に形成した排気口１０を有している。本体ケース２５の吸い込み側には吸込グリル７と空気清浄フィルター８が載置され、空気清浄機の本体２６が構成されている。本体ケース２５の天面は水平面１１ａと垂直な壁面１１ｂと傾斜面１１ｃを設け、また本体ケース２５の天面には取手１３の連結部１６が回動可能に支持される支軸１４が設けられ、取手１３の傾斜面１１ｃに取手１３を収納する収納凹部１５が一体に形成されている。
【００２８】
また、内部ケース５には、取手１３の連結部１６側面と当接する位置に、弾力性を備えた押え部１７を２ヶ所成型し、押え部１７に取手１３の連結部１６が当接した状態で断面だるま形状の支軸１４と嵌合されている。取手１３の連結部１６に突起部１８を設け、押え部１７に溝２１を設け、取手１３を上側に起こした位置にて、取手１３の突起部１８が押え部１７の溝２１に嵌合する形状となっている。
【００２９】
上記構成において、操作部６により運転を開始すると、室内の汚染された空気は電動機２およびファン３の運転により空気清浄フィルター８を通り、浄化された空気は排気口１０から室内へ排出される。
【００３０】
また、本体ケース１を運搬するときは、収納凹部１５から取手１３を上方に引き上げて所定角度になると、連結部１６に設けた突起部１８が押え部１７に設けた溝２１に嵌合し、押え部１７の弾力性により取手１３を立設した状態で保持することができる。引き上げた取手１３を維持するために一時的に手で支える必要がなく、本体１を移動する際に引き上げた取手１３を持ち運びができる状態で保持できるので、取手１３の取扱いが簡単で便利に使用できることとなる。
【００３１】
なお、本実施の形態では取手付き電気機器として空気清浄機を用いて説明したが、除湿機、電気暖房機などの移動して使用される電気機器に適用しても同様の効果を奏するものである。
【００３２】
（実施の形態２）
図３に示すように、取手１３の連結部１６には、弾力性を備えた厚肉部１９を形成し、取手１３が本体ケース２５の天面の収納凹部１５に回動して収納されるときに、その手前の位置から押え部１７と厚肉部１９とが徐々に当接することにより、取手１３の回動速度が弱まる構成としている。また取手１３の連結部１６に第２の突起部２０を設け、取手１３が収納凹部１５の底面に当接する位置よりやや手前で、取手１３の第２の突起部２０が押え部１７の溝２１に嵌合する形状となっている。
【００３３】
上記構成において、取手１３を収納凹部１５の収納するため、下方に回動するとともに手を離すと、連結部１６に設けた厚肉部１９が押え部１７に圧接して、重力に抗して回動速度が徐々に低下し、取手１３が収納凹部１５の底面に当接する位置よりやや手前で、連結部１６の第２の突起部２０が押さえリブ１７に設けた溝２１に嵌合して収まり、取手１３を収納凹部１５に収納させるときに衝撃音が無く滑らかに収納することができる。
【００３４】
（実施の形態３）
図４に示すように、取手１３を脚部２２が本体ケース２５の壁面１１ｂと当接する位置まで回動可能に設け、この回動位置で取手１３の突起部１８が押え部１７の溝２１に嵌合する構成としている。なお、本体２６の重心位置は支軸１４の後方にあるものとする。
【００３５】
上記構成において、取手１３を引き上げて壁面１１ｂに当接する位置まで回動すると、
取手１３の突起部１８が押え部１７の溝２１に嵌合して仮固定される。このとき取手１３の支軸１４は本体２６の重心位置より前方にあるため、取手１３を持ち上げると本体ケース２５は後傾姿勢となるので、取手１３の脚部２２に本体ケース２５の壁面１１ｂが押圧状態となり、取手１３が本体ケース２５の上部に張り付いたように支持することができる。従って取手１３の支軸１４が本体２６重心と外れた位置にあっても、取っ手を持つだけで、本体２６をぐらつかないように支えて運搬することができる。
【００３６】
（実施の形態４）
図５に示すように、本体ケース２５上面に設けた壁面１１ｂに角度調節用の当てリブ２３を形成し、取手１３の脚部２２に当接可能に設けている。取手１３の先端には握り部１３ａを備え、取手１３の脚部２２が壁面１１ｂの当てリブ２３に当接したときに、握り部１３ａは本体２６の重心の直上に位置する寸法関係としている。このとき連結部１６に設けた突起部１８と押え部１７に設けた溝１９は嵌合して仮固定した状態で取手１３を保持する構成となっている。
【００３７】
上記構成において、取手１３の支軸１４を支点として回動し、当てリブ２３と取手１３の脚部２２が当接されることにより、取手１３の握り部１３ａか本体２６の重心位置の直上に配置される。同時に取手１３の突起部１８が押え部１７の溝２１に嵌合して仮固定される。この状態で取手１３の握り部１３ａを持ち本体２６を上げると、本体２６がいずれの方向にも倒れることなく姿勢を保ちつつ持ち上がり、そのままぐらつくことなく運搬することができる。また本体２６を床面に降ろすときも、本体２６の姿勢を崩すことなく安定して載置することができ、このように取手１３の支軸１４が本体２６の重心と外れた位置にあっても、安全に運搬し設置することができる。
【産業上の利用可能性】
【００３８】
本体に取付けた取手を用いて容易にかつ安全に持ち運びができるので、電気機器以外の取手を備えた装置の運搬性を向上させる用途にも適用できる。
【図面の簡単な説明】
【００３９】
【図１】本発明の実施の形態１の取手付き電気機器の分解斜視図
【図２】同要部断面図
【図３】本発明の実施の形態２の取手付き電気機器の要部断面図
【図４】本発明の実施の形態３の取手付き電気機器の要部断面図
【図５】本発明の実施の形態４の取手付き電気機器の要部断面図
【図６】従来の取手付き電気機器の外観斜視図
【図７】同要部斜視図
【図８】同要部断面図
【符号の説明】
【００４０】
１１ｂ  壁面
１３    取手
１３ａ  握り部
１４    支軸
１６    連結部
１７    押え部
１８    突起部
２０    第２の突起部
２１    溝
２２    脚部
２３    当てリブ
２５    本体ケース
２６    本体
【図１】
2006103783.tif 000003
【図２】
2006103783.tif 000004
【図３】
2006103783.tif 000005
【図４】
2006103783.tif 000006
【図５】
2006103783.tif 000007
【図６】
2006103783.tif 000008
【図７】
2006103783.tif 000009
【図８】
2006103783.tif 000010